(57)【要約】【課題】  取り外す必要がなくても部品の入れ替え修理を行うことが可能なバルブの構造を提供する。【解決手段】  バルブ台殻体１内にバルブディスク２が取り付けられ、バルブディスク２は回し軸３に制御される。バルブ台殻体１の頸孔１１内にねじ１３が設けられ、かつ頸側の環周には複数個の切り孔１４が設けられている。十字状に現れる回し軸３の中間には当て環３１が設けられて内から外へバルブ台殻体１の頸孔１１に取り付けられている。後端は更にねじシール４をもって封し、ねじシール４の切り孔１４に対応する位置には複数個の調整孔４３が設けられている。これにより、工具は側方位置から切り孔に挿入して調整孔４３を動かし、部品を換わらなくてもバルブの水密性を回復することが可能で、点検修理が便利になり、かつ工数が節約される。【選択図】    図２
0003113440.tif 000002
【実用新案登録請求の範囲】
【請求項１】
バルブの構造であって、
バルブ台の殻体内にバルブディスクが取り付けられ、バルブディスクは回し軸に制御され、バルブ台殻体の頸孔内にねじが設けられ、かつ頸側の環周には複数個の切り孔が設けられ、十字状に現れる回し軸の中間には当て環が設けられて内から外へバルブ台殻体の頸孔に取り付けられ、後端は更にねじシールをもって封し、ねじシールの切り孔に対応する位置には複数個の調整孔が設けられ、
工具は側面位置から切り孔に挿入して調整孔を動かすことが可能であり、点検修理が便利になることを特徴とするバルブの構造。
【請求項２】
ねじシールの調整孔の数はバブル体の頸の切り孔より多く、間隔は切り孔より小さいことを特徴とする請求項１記載のバルブの構造。
【請求項３】
切り孔は長孔であり、調整孔はまる孔であることを特徴とする請求項１記載のバルブの構造。
【請求項４】
軸の末端はねじが設けられ、複数の水密パッキンによって軸に取り付けられ、バルブ台殻体頸孔の末端は締め付け孔のある平台に形成され、
頸孔と平台の連接個所はやや大きく設けられ、
またねじシールの周囲にはねじ付け部を有し、他端は拡大された環部に現れ、環部の径面及び側面には調整孔が設けられていることを特徴とする請求項１記載のバルブの構造。
【考案の詳細な説明】
【技術分野】
【０００１】
本考案は、バルブの構造に関するもので、特にバルブの側辺に調整装置が設けられ、工具はそこから挿入して調整を行うことが可能で、部品を取り外し交換する必要がなく、便利に点検修理が行われるバルブの構造に関する。
【背景技術】
【０００２】
一般の工業配管にはバルブが設けられている。それは流体を制御する必要なもので、の主要な構造はバルブ殻体内にバルブディスクが取り付けられ、バルブディスクは殻体を貫通する回し軸に制御される。それが回されるとバルブディスクの開閉角度を変えて流量を制御する目的が達成されるが、早期の伝統的バルブの設計は、その回し軸は外から内へ組み付け固定される方法が採用され、製造に於いて便利であるが、使用時は耐圧上に欠陥があり、配管内の圧力が大きすぎ、またはバルブディスクが故障した場合、その回し軸は外へ激しく射出爆裂して危険が起こりやすくなる。
【０００３】
この伝統的バルブの使用時の欠点を克服するため、新しい設計は第１図に示すように、バルブの頸部を階段状の孔に設け、回し軸を十字状に設けて中央に当て環があるようにし、環上に水止めパッキンを設けて軸にＯ−リングを設ける。組み立て時はバルブ孔の内から外へ通し、後側には更にパッキンを取り付け、向き変えに弾性パッキン及びＣ形スナップリングを固定すれば、使用時に故障しても外へ激しく射出爆裂することがなく、比較的安全である。
【考案の開示】
【考案が解決しようとする課題】
【０００４】
しかしながら、製造と使用には次のような欠点があり、それを早急に克服改善する必要がある。
【０００５】
１．回し軸の後側にはパッキンが取り付けられ、並びに向き変えに弾性パッキン及びＣ形スナップリングで固定されているが、長い間使われると水止めパッキンは磨耗し、Ｏ−リングも老化して回し軸の水密性が失い、修理時は外から調整し、または取り外し交換し、またはパッキンを取り付けるので、修理は極めて不便である。
【０００６】
２．回し軸は内側から取り付けるように変えられたので、部品の製造及び組み立ては伝統のものより複雑であり、特にバルブが小さいと内部のスペースに限度があり、組み立ては更に難しくなる。
【０００７】
したがって、本考案の主な目的はバルブの側辺に調整装置が設けられ、工具はそこから入れて調整を行うことが可能で、取り外す必要がなくても部品の入れ替え修理を行うことが可能なバルブの構造を提供することにある。
【課題を解決するための手段】
【０００８】
上述の目的を達成するために本考案の請求項に記載のバルブの構造は、バルブ台の殻体内にバルブディスクが取り付けられ、バルブディスクは回し軸に制御される。バルブ台殻体の頸孔内にねじが設けられ、かつ頸側の環周には複数個の切り孔が設けられている。十字状に現れる回し軸の中間には当て環が設けられて内から外へバルブ台殻体の頸孔に取り付けられている。後端は更にねじシールをもって封し、ねじシールの前述切り孔に対応する位置には複数個の調整孔が設けられている。これにより、工具は側方位置から切り孔に挿入して調整孔を動かし、部品を換わらなくてもバルブの水密性を回復することが可能で、点検修理が便利になり、かつ工数が節約される。
【０００９】
特にこの装置にニューマチックシリンダーが付け加えられてシリンダーが壊れた場合、運転中に直接そのシリンダーを交換することが可能で、液体が外へ流れる恐れがなく、それは最大の利点となる。
【考案を実施するための最良の形態】
【００１０】
以下、本考案の実施例を図面に基づいて説明する。
図２から図６に示すように、本考案の実施例により設けられるバルブの改善構造はバルブ台殻体１内にバルブディスク２が取り付けられ、そのバルブディスク２は回し軸３に制御され、それは次のものを含む。
【００１１】
バルブ台殻体１には階段状の頸孔１１が設けられ、末端は締め付け孔のある平台１２に形成され、孔内にはねじ１３が設けられている。孔１１と平台１２の連接個所はやや大きく設けられ、環周には複数個の切り孔１４が設けられている。
【００１２】
十字状に現れる回し軸３の中間には当て環３１が設けられ、水止めパッキン３２が設けられ、軸にはＯ−リングが設けられて内から外へバルブ台殻体１の頸孔１１に取り付けられている。軸の末端はねじ３４が設けられ、後端は複数のパッキン３５によって軸に取り付けられている。
【００１３】
ねじシール４は回し軸３に取り付けられて頸孔１１内をシールし、周囲にはねじ付け部４１を有し、他端は拡大された環部４２に現れ、環部４２の径面及び側面には複数個の調整孔４３、調整孔４４が設けられている。
【００１４】
実施される場合、ねじシール４の側面に設けられている調整孔４４の数はバルブ殻体１の切り孔１４より多く設けられ、調整孔４４の間隔は切り孔１４より小さいので、設計では切り孔１４を長孔にし、調整孔４４を丸孔にしたほうがよい。
【００１５】
図２、図５に示すように、組み立て時は回し軸３を内から頸孔１１に組み込み、前端の当て環３１及び水止めパッキン３２を孔内の段階に当て付け、他端は平台１２に通してパッキン３５の取り付けに供される。ねじシールに入れて頸孔１１内のねじ１３にねじ付け、更に工具を調整孔４３に挿入して締め付ければ固定することが可能である。
【００１６】
図５、図６に示すように、このような設計は軸の長さが短くなって組み立てが便利になるだけでなく、バルブには調整装置がついているので修理時はバルブを取り外して部品を換わらなくてもよい。工具を側面から調整孔４４に差し込み、切り孔１４内で回せばバルブの水密性を回復することが可能で、点検修理が便利になり、かつ工数が節約される。特にこの装置にニューマチックシリンダーが付け加えられてシリンダーが壊れた場合、運転中に直接そのシリンダーを交換することが可能で、液体が外へ流れる恐れがなく、それは最大の特長である。
【００１７】
上述をまとめると、本実施例の構造設計は軸の長さが短くなって組み立てが便利になるだけでなく、工具は側面から差し込んで調整することが可能で、点検修理が便利になって工数が節約され、周知の構造の組み立て及び応用における欠点を解決する。機能は従来のものよりよく、進歩性と産業の利用価値があるので、法に従って実用新案の登録請求を提出する。
【００１８】
上述具体的実施例は本考案の目的、特徴及び効果を詳細に説明したもので、このような技術を熟知したものは上述説明によって具体的実施例の一部を変更または改修すること可能であるが、それの本質が本考案の精神範囲を離脱しないものはすべて本考案の特許登録請求の範囲に含まれるものとする。
【図面の簡単な説明】
【００１９】
【図１】周知のバルブの構造を示す図である。
【図２】本考案の実施例によるバルブの構造を示す立体分解図である。
【図３】本考案の実施例によるバルブの構造を示す立体組み立て図である。
【図４】本考案の実施例によるバルブの構造を示す組み立て平面図である。
【図５】本考案の実施例によるバルブの構造を示す断面局部拡大図である。
【図６】本考案の実施例によるバルブの構造を示す応用意表図である。
【符号の説明】
【００２０】
１  バルブ殻体、２  バルブディスク、３  回し軸、４  ねじシール、１１  頸孔、１２  平台、１３  ねじ、１４  切り孔、３１  当て環、３２  水止めパッキン  ３３  Ｏ−リング、３４  ねじ、３５  パッキン、４１  ねじ付け部、４２  環部、４３  調整孔、４４  調整孔
【図１】
0003113440.tif 000003
【図２】
0003113440.tif 000004
【図３】
0003113440.tif 000005
【図４】
0003113440.tif 000006
【図５】
0003113440.tif 000007
【図６】
0003113440.tif 000008